(57)【特許請求の範囲】
【請求項１】
所定時間熱湯に浸した後に湯切りすることにより調理される調理物を収容するための湯切り口付容器であって、上端が開口した容器本体と、この容器本体の開口を封閉する蓋体とからなり、前記容器本体は合成樹脂射出形成品で、その側壁の上縁の近傍に、切取線によって一端が上下にコーナー部を備えた幅を有しており、この幅を保ちつつ周方向に帯状に延び、他端が鋭角状に合流するよう区画され、一端の下コーナー部につまみ部が形成された切取帯部を有しており、前記切取線は、前記側壁に形成した薄肉部からなり、前記つまみ部を引っ張ると前記切取帯部が前記切取線に沿って切り取られて湯切り口が形成されるようにしたことを特徴とする湯切り口付容器。
【請求項２】
前記切取帯部が、前記蓋体の開封が開始される側と反対の側に位置することを特徴とする請求項１に記載の湯切り口付容器。
【発明の詳細な説明】
【０００１】
【発明の属する技術分野】
本発明は、所定時間熱湯に浸した後に湯切りすることにより調理される調理物を収容するための湯切り口付容器に関するものである。
【０００２】
【従来の技術】
例えばインスタントの焼きそばやピラフのような、所定時間熱湯に浸した後に湯切りすることにより調理される調理物を収容するための容器としては、例えば実公昭５９−１１０９７号公報に示すように、上端が開口した容器本体の上縁に切欠部を設け、容器本体の開口を開閉する蓋体を両手で押えながら切欠部で湯切りするようにしたものや、実公平７−３４８６４号公報に示すように、上端が開口した容器本体の開口を開閉する方形の蓋体の隅部に湯切り口を設け、蓋体を両手で押えながら湯切りするようにしたものや、実開昭５１−１３８４０２号公報に示すように、上端が開口した容器本体の開口を封閉する蓋体を、複数の層からなる積層シートの一部の層を取り除いて穴あけ可能としたものによって構成し、箸等で蓋体に穴を開けて湯切りするようにしたもの等が知られている。
【０００３】
【発明が解決しようとする課題】
しかしながら、上述した従来の湯切り口付き容器には以下のような問題がある。
即ち、実公昭５９−１１０９７号公報や実公平７−３４８６４号公報のものでは、湯切り時に湯の重量によって蓋体が外れ、調理物が流出してしまうことがある。また、蓋体を押えなければならないため、手に火傷を負い易い。また、蓋体を湯と調理物の重量によって変形しにくいように厚くしなければならないため、コスト高となる。
【０００４】
また、実開昭５１−１３８４０２号公報のものでは、箸等によって何カ所にも穴をあけなければならないため、手間がかかる。また、穴あけ箇所を箸で突く程度で穴があくように脆弱にする必要があるため、運搬時等において外圧によって穴があいてしまい、調理物の品質が損なわれることがある。
【０００５】
本発明は上記のような問題点を解決するためになされたものであって、その目的は、湯切り時に調理物が流出することがなく、蓋体を押さえる必要がなく、安価に製造することができ、湯切り口の開口が容易であり、かつ外圧によって湯切り口が開口しにくいようにした湯切り口付容器を提供することにある。
【０００６】
【課題を解決するための手段】
上記目的を達成するために、本発明に係る湯切り口付容器は、上端が開口した容器本体と、この容器本体の開口を封閉する蓋体とからなり、前記容器本体は合成樹脂射出形成品で、その側壁の上縁の近傍に、切取線によって一端が上下にコーナー部を備えた幅を有しており、この幅を保ちつつ周方向に帯状に延び、他端が鋭角状に合流するよう区画され、一端の下コーナー部につまみ部が形成された切取帯部を有しており、前記切取線は、前記側壁に形成した薄肉部からなり、前記つまみ部を引っ張ると前記切取帯部が前記切取線に沿って切り取られて湯切り口が形成されるようにしたことを特徴とするものである。
【０００７】
このように、前記切取線を前記側壁に形成した薄肉部からなるものとすると、密封性が向上する。
【０００８】
また、前記切取帯部が前記蓋体の開封が開始される側と反対の側に位置する場合、蓋体をめくり上げることにより容器本体内に空気が侵入し、湯がスムーズに排出されるとともに、空気抜き孔を設ける必要がなくなるので好ましい。
【０００９】
【発明の実施の形態】
以下、本発明の具体的な実施形態を図面を参照しながら説明する。
図１は本発明の一実施形態である湯切り口付容器の正面図、図２は図１のＡ−Ａ’線断面図、図３は図１の平面図である。
【００１０】
図１に示す湯切り口付容器は焼きそば即席麺を収容するためのもので、上端が開口した有底筒状の容器本体１と、この容器本体１の開口を封閉する蓋体２とからなっている。
【００１１】
容器本体１は、例えばポリプロピレンを射出成形してなるもので、この実施形態では開口の周囲に水平方向に突出したフランジ１ａが形成されている。容器本体１の側壁１ｂの上縁の近傍には切取線３によって周方向にのびる切取帯部４が区画形成されている。切取線３は、この実施形態では、図２に示すように、側壁１ｂに形成した薄肉部１ｃによって構成されているが、これに限られるものではなく、例えばミシン目線によって構成してもよい。
【００１２】
切取帯部４の一端にはつまみ部５が形成されており、つまみ部５の表面には、指が滑らないように、上下方向にのびる複数本のリブ５ａが形成されている。切取帯部４の他端は、切取帯部４が容器本体１からスムーズに分離するように鋭角状に形成されている。つまみ部５を指で持って図１の右方向に引っ張ると、切取線３が破断し、切取帯部４が切取線３に沿って切り取られ、図４に示すように、湯切り口６が形成されるようになっている。
【００１３】
蓋体２は、本実施形態では、例えば紙からなる基材シートの裏面に接着剤層、アルミニウム箔、ヒートシール層を順に積層したシート部材等の可撓性有るシート部材からなり、図３に示すように、容器本体１のフランジ１ｂの外径とほぼ同じ直径の円形状のもので、周縁部の一部に半円形状の開封片２ａが形成されている。蓋体２は、容器本体１のフランジ１ａの上面に、開封片２ａが切取帯部４と反対の側に位置するようにヒートシールされている。
【００１４】
次に、上記のように構成した湯切り口付容器の使用方法について説明する。
蓋体２の開封片２ａを指でつまみ、容器本体１内に湯を注ぐことができるように蓋体２の一部を剥す。そして、容器本体１内に熱湯を注ぎ、開封片２ａをフランジ１ａの裏側に折り込んで容器本体１の開口を封閉する。
【００１５】
所定時間経過後、切取帯部４のつまみ部５を指で持って図１の右方向に引っ張り、切取帯部４を切取線３に沿って容器本体１から切り取る。これによって、図４に示すように、湯切り口６が形成される。そして、蓋体２の開封片２ａを指でつまみ、容器本体１内に空気が入るように蓋体２の一部をめくり上げ、容器本体１を手で持ち、容器本体１を傾けて容器本体１内の湯を湯切り口６を介して排出し、湯切りする。このとき、湯切り口６の上方においては、蓋体２が容器本体１とヒートシールにより完全に接着（密閉）されているので、湯を切るために容器本体１を大きく傾けたとしても調理物が流出することがなく湯を切ることが可能なものである。湯切りが終了すると、蓋体２を容器本体１から剥し取り、容器１内の調理物に調味料をふりかけ、調理物を食する。
【００１６】
【発明の効果】
以上説明したように、本発明によると、湯切り口６が容器本体１の上縁より下に位置し、湯切り時に湯が蓋体２に接しないため、蓋体２が外れることがない。したがって、調理物が流出しないとともに、蓋体２を指で押さえる必要がないため、火傷をする恐れがない。また、蓋体２を厚くする必要がなく、かつ容器本体１は合成樹脂射出成形品で、容器本体１の成形時に切取帯部４を同時に成形することができるため、安価に製造することができる。また、切取帯部４に形成したつまみ部５を引っ張って切取帯部４を切り取るようにしたことにより、湯切り口６の開口が容易であるとともに、切取線３の強度を外圧によって破断しないように大きくすることができるため、輸送時等において湯切り口６が開口する恐れが少ない。
【００１７】
また、切取線３が容器本体１の側壁に形成した薄肉部からなるため、密閉性を向上することができ、調理物の品質が損なわれるのを防ぐことができる。
【００１８】
また本発明によると、湯切り口６を蓋体２の開封が開始される側と反対の側に設けたことにより、湯切り時に蓋体２の端部をめくり上げることにより容器本体１内に空気が侵入して湯がスムーズに排出されるため、湯切りが促進される。また、空気抜き孔を設ける必要がないため、コストが低減する。
【図面の簡単な説明】
【図１】  本発明の一実施形態である湯切り口付容器の正面図。
【図２】  図１のＡ−Ａ’線断面図。
【図３】  図１の平面図。
【図４】  本発明の一実施形態である湯切り口付容器の正面図であり、湯切り口が開口した状態を示す図。
【符号の説明】
１  容器本体
２  蓋体
３  切取線
４  切取帯部
５  つまみ部
６  湯切り口
【図１】
0003841865.tif 000002
【図２】
0003841865.tif 000003
【図３】
0003841865.tif 000004
【図４】
0003841865.tif 000005